(57)【要約】【課題】  居住者がモードの切り替えを行う必要がないセキュリティシステムを提案すること。【解決手段】  セキュリティシステム１は、住宅側装置５と、一般通信回線６を介して接続された集中監視装置３とを有している。住宅側装置５は、ガスメータ１１と、ガス不使用監視装置１２と、一般住宅４の異常および居住者の異常を検知するセンサ群１３と、一般通信回線６を介して集中監視装置３との間で通信を行うための伝送装置１４とを備えている。集中監視装置３は、ガス不使用監視装置１２の検出結果から求まるガス不使用時間帯のうち、居住者が外出していると推定される時間帯を監視時間帯として、この時間帯において一般住宅４のセンサ群１３の出力に基づき、一般住宅４および居住者に異常が発生したか否かを監視する。【選択図】  図１
2006243990.tif 000002
【特許請求の範囲】
【請求項１】
ガス使用施設に設置されている施設側装置と、
通信回線を介して前記施設側装置を監視する集中監視装置とを有し、
前記施設側装置は、ガスメータと、ガス不使用監視装置と、前記ガス使用施設の異常および当該ガス使用施設の居住者の異常を検知するためのセンサ群と、前記通信回線を介して前記集中監視装置との間で通信を行うための伝送装置とを備えており、
前記ガス不使用監視装置は、前記ガスメータから取得されるガス検針データに基づき、ガスの不使用状態を検出し、所定時間以上に亘ってガスが不使用の場合には安否確認警報を前記伝送装置を介して前記集中監視装置に向けて出力し、
前記集中監視装置は、予め設定された監視時間帯において前記ガス使用施設の前記センサ群の出力に基づき、前記ガス使用施設および居住者に異常が発生したか否かを監視し、
前記監視時間帯は、前記ガス不使用監視装置の検出結果から求まるガス不使用時間帯のうち、居住者が外出していると推定される時間帯であることを特徴するガス使用施設のセキュリティシステム。
【請求項２】
請求項１において、
前記監視時間帯は、一日の前記ガス不使用時間帯における日中の時間帯であることを特徴とするガス使用施設のセキュリティシステム。
【請求項３】
請求項１または２において、
前記センサ群には、ガス漏れ警報器および熱感知センサを含む第１センサ群と、人感センサおよびドアセンサを含む第２センサ群とが含まれており、
前記監視時間帯以外の時間帯においては、前記集中監視装置は、前記第１センサ群の出力に基づき前記ガス使用施設に異常が発生したか否かを監視することを特徴とするガス使用施設のセキュリティシステム。
【請求項４】
請求項３において、
前記伝送装置は、前記第２センサ群からの出力の有効および無効の設定を切り替える伝送装置側設定切替部を備え、
当該伝送装置側設定切替部は、前記監視時間帯における前記第２センサ群からの出力を有効とし、前記監視時間帯以外の時間帯における前記第２センサ群からの出力を無効とするように設定を切り替えることを特徴とするガス使用施設のセキュリティシステム。
【請求項５】
請求項４において、
前記伝送装置は、前記ガス不使用監視装置の検出結果を所定期間に亘り記憶する記憶部と、当該記憶部の記憶内容に基づき、予め定めた期間毎に、前記監視時間帯を更新する更新部とを備え、
前記伝送装置側設定切替部は、前記更新部によって更新された監視時間帯に基づいて設定を切り替えることを特徴とするガス使用施設のセキュリティシステム。
【請求項６】
請求項５において、
前記記憶部には、一日の各時間帯におけるガス使用の有無に関するマトリックスデータが一週間毎に記憶保持されており、
前記更新部は、複数の週の前記マトリックスデータの合成結果に基づき、前記監視時間帯を更新することを特徴とするガス使用施設のセキュリティシステム。
【請求項７】
請求項４において、
前記集中監視装置による遠隔操作により、前記伝送装置側設定切替部の設定の切り替えが行われることを特徴とするガス使用施設のセキュリティシステム。
【請求項８】
請求項７において、
前記集中監視装置は、前記伝送装置を介して送信されてくる前記ガス不使用監視装置の検出結果を所定期間に亘り記憶する記憶部と、当該記憶部の記憶内容に基づき、予め定めた期間毎に、前記監視時間帯を更新する更新部と、前記伝送装置側設定切替部の設定の切り替え操作を行う遠隔操作部とを備え、
当該遠隔操作部は、前記更新部によって更新された監視時間帯に基づいて、前記伝送装置側設定切替部の設定の切り替え操作を行うことを特徴とするガス使用施設のセキュリティシステム。
【請求項９】
請求項８において、
前記集中監視装置において、前記記憶部には、一日の各時間帯におけるガス使用の有無に関するマトリックスデータが一週間毎に記憶保持されており、前記更新部は、複数の週の前記マトリックスデータの合成結果に基づき、前記監視時間帯を更新することを特徴とするガス使用施設のセキュリティシステム。
【請求項１０】
請求項４ないし９のいずれかにおいて、
前記施設側装置は、前記伝送装置側設定切替部の設定の切り替えを手動により行うことができる操作部を備えていることを特徴とするガス使用施設のセキュリティシステム。
【請求項１１】
請求項３において、
前記集中監視装置は、前記第２センサ群からの出力の有効および無効の設定を切り替える集中監視装置側設定切替部を備え、
当該集中監視装置側設定切替部は、前記監視時間帯における前記第２センサ群からの出力を有効とし、前記監視時間帯以外の時間帯における前記第２センサ群からの出力を無効とするように設定を切り替えることを特徴とするガス使用施設のセキュリティシステム。
【請求項１２】
請求項１１において、
前記集中監視装置は、前記伝送装置を介して送信されてくる前記ガス不使用監視装置の検出結果を所定期間に亘り記憶する記憶部と、当該記憶部の記憶内容に基づき、予め定めた期間毎に、前記監視時間帯を更新する更新部とを備え、
前記監視装置側設定切替部は、前記更新部によって更新された監視時間帯に基づいて設定を切り替えることを特徴とするガス使用施設のセキュリティシステム。
【請求項１３】
請求項１２において、
前記集中監視装置において、前記記憶部には、一日の各時間帯におけるガス使用の有無に関するマトリックスデータが一週間毎に記憶保持されており、前記更新部は、複数の週の前記マトリックスデータの合成結果に基づき、前記監視時間帯を更新することを特徴とするガス使用施設のセキュリティシステム。
【請求項１４】
請求項１１ないし１３のいずれかにおいて、
前記施設側装置は、前記監視装置側設定切替部の設定の切り替えを、前記伝送装置を介して、手動により行える操作部を備えていることを特徴とするガス使用施設のセキュリティシステム。
【請求項１５】
請求項１ないし１４のいずれかにおいて、
前記集中監視装置は、前記ガス使用施設の監視状況を、予め設定されている連絡先にインターネット・メール・サービスを利用して通知することを特徴とするガス使用施設のセキュリティシステム。
【請求項１６】
請求項１５において、
前記監視状況の通知として、前記監視時間帯において異常がなかったことの通知を行うことを特徴とするガス使用施設のセキュリティシステム。
【発明の詳細な説明】
【技術分野】
【０００１】
本発明は、ガスの自動検針システムを利用して、ガス使用施設における居住者の安否確認、および当該ガス使用施設の不法侵入などの監視も行うガス使用施設のセキュリティシステムに関するものである。
【背景技術】
【０００２】
近年においては、一般家庭などにおけるガスの検針が、一般通信回線を介して、集中監視センタの側において行われる自動検針システムが普及している。この自動検針システムでは、一般家庭などのガス使用施設にガスメータと伝送装置が設置され、この伝送装置が、ガスメータの検針データを一般通信回線を介して集中監視センタに自動送信するように構成されている。
【０００３】
ここで、本願人により、ガスの自動検針システムを利用して、ガス使用状況を監視して居住者、特に独居老人の安否を確認するシステムが提案されている（例えば、特許文献１参照）。かかる安否確認システムでは、ガスメータに接続されたガス不使用監視装置（積算値カウンタ）が、ガスメータから取得されるガス検針データに基づきガス使用状況データを作成し、当該ガス使用状況データが、伝送装置および一般通信回線を介して集中監視センタに自動送信するように構成されている。集中監視センタの側では、ガス使用状況データに基づき、１日のガス使用パターンなどを算出できるので、居住者の生活異常を的確に検知できる。
【０００４】
一方、近年における犯罪などの増加に伴い、一般家庭においても防犯などのためのセキュリティシステムを備える場合が増えている。セキュリティシステムは、一般に、人の侵入や火災などの異常を検知するセンサと、このセンサが異常を検知した場合にその旨を集中監視センタに通報する伝送装置とを備えている。伝送装置には、セキュリティシステムをオフ状態にする「在宅モード」、セキュリティシステムをオン状態にする「外出モード」に切り替えるための操作ボタンが配置されている。あるいは、専用キーを用いて、各モードに切り替えるものもある。
【特許文献１】特開２００４−６９６２４号公報
【発明の開示】
【発明が解決しようとする課題】
【０００５】
しかしながら、従来のセキュリティシステムは、外出あるいは帰宅の度にモード切り替えを行わねばならず、大変面倒である。また、モード切り替えを忘れると、不要な異常警報が監視センタの側に送信される等の不都合が生じる。
【０００６】
以上の点を鑑みて、本発明の課題は、ガスの自動検針システムを利用して、ガス使用施設の居住者が外出している時間帯を推定することにより、居住者がモード切り替えを行う必要がないセキュリティシステムを提案することにある。
【課題を解決するための手段】
【０００７】
上記の課題を解決するために、本発明のセキュリティシステムは、ガス使用施設に設置されている施設側装置と、
一般通信回線を介して前記施設側装置を監視する集中監視装置とを有し、
前記施設側装置は、ガスメータと、ガス不使用監視装置と、前記ガス使用施設の異常および当該ガス使用施設の居住者の異常を検知するためのセンサ群と、前記一般通信回線を介して前記集中監視装置との間で通信を行うための伝送装置とを備えており、
前記ガス不使用監視装置は、前記ガスメータから取得されるガス検針データに基づき、ガスの不使用状態を検出し、所定時間以上に亘ってガスが不使用の場合には安否確認警報を前記伝送装置を介して前記集中監視装置に向けて出力し、
前記集中監視装置は、予め設定された監視時間帯において前記ガス使用施設の前記センサ群の出力に基づき、前記ガス使用施設および居住者に異常が発生したか否かを監視し、
前記監視時間帯は、前記ガス不使用監視装置の検出結果から求まるガス不使用時間帯のうち、居住者が外出していると推定される時間帯であることを特徴としている。
【０００８】
ここで、夜中は一般に就寝中であり、ガスが使用されることがないので、前記監視時間帯として、一般的に、一日の前記ガス不使用時間帯における日中の時間帯を採用すればよい。
【０００９】
次に、前記センサ群は、大別して２タイプに分けることができ、すなわち、ガス漏れ警報器および熱感知センサを含む第１センサ群と、人感センサおよびドアセンサを含む第２センサ群とに分けることができる。ガス漏れの監視および火災の監視は、居住者の在宅、外出に拘わりなく行う必要がある。したがって、前記監視時間帯以外の時間帯であっても、前記集中監視装置は、前記第１センサ群の出力に基づき前記ガス使用施設に異常が発生したか否かを監視することが望ましい。
【００１０】
本発明では、前記伝送装置が、前記第２センサ群からの出力の有効および無効の設定を切り替える伝送装置側設定切替部を備えた構成とされる。当該伝送装置側設定切替部は、前記監視時間帯における前記第２センサ群からの出力を有効とし、前記監視時間帯以外の時間帯における前記第２センサ群からの出力を無効とするように設定を切り替える。
【００１１】
ここで、都度変更されるライフパターンに対応するように監視時間帯を変更するために、前記伝送装置は、前記ガス不使用監視装置の検出結果を所定期間に亘り記憶する記憶部と、当該記憶部の記憶内容に基づき、予め定めた期間毎に、前記監視時間帯を更新する更新部とを備えていることが望ましい。前記伝送装置側設定切替部は、前記更新部によって更新された監視時間帯に基づいて設定を切り替える。
【００１２】
この場合、前記伝送装置において、前記記憶部には、一日の各時間帯におけるガス使用の有無に関するマトリックスデータが一週間毎に記憶保持されるようにし、前記更新部は、複数の週の前記マトリックスデータの合成結果に基づき、前記監視時間帯を更新するようにすればよい。
【００１３】
また、前記集中監視装置による遠隔操作により、前記伝送装置側設定切替部の設定の切り替えが行われるように構成することもできる。
【００１４】
この場合には、前記集中監視装置は、前記伝送装置を介して送信されてくる前記ガス不使用監視装置の検出結果を所定期間に亘り記憶する記憶部と、当該記憶部の記憶内容に基づき、予め定めた期間毎に、前記監視時間帯を更新する更新部と、前記伝送装置側設定切替部の設定の切り替え操作を行う遠隔操作部とを備えた構成を採用できる。当該遠隔操作部は、前記更新部によって更新された監視時間帯に基づいて、前記伝送装置側設定切替部の設定の切り替え操作を行う。
【００１５】
一方、前記集中監視装置が、前記第２センサ群からの出力の有効および無効の設定を切り替える集中監視装置側設定切替部を備えた構成を採用することもできる。当該集中監視装置側設定切替部は、前記監視時間帯における前記第２センサ群からの出力を有効とし、前記監視時間帯以外の時間帯における前記第２センサ群からの出力を無効とするように設定を切り替える。
【００１６】
この場合においても、都度変更されるライフパターンに対応するように監視時間帯を変更するために、前記集中監視装置は、前記伝送装置を介して送信されてくる前記ガス不使用監視装置の検出結果を所定期間に亘り記憶する記憶部と、当該記憶部の記憶内容に基づき、予め定めた期間毎に、前記監視時間帯を更新する更新部とを備えていることが望ましい。前記監視装置側設定切替部は、前記更新部によって更新された監視時間帯に基づいて設定を切り替える。
【００１７】
ここで、居住者の突然の帰宅、外出などに対応するために、前記施設側装置は、前記伝送装置側設定切替部あるいは前記監視装置側設定切替部の設定の切り替えを手動により行うことができる操作部を備えていることが望ましい。
【００１８】
次に、前記集中監視装置は、前記ガス使用施設の監視状況を、予め設定されている連絡先にインターネット・メール・サービスを利用して通知することが望ましい。
【００１９】
また、前記監視状況の通知として、前記監視時間帯において異常がなかったことの通知を行うことが望ましい。このようにすると、利用者（居住者）は、この電子メールにより、異常がなかったことと、監視が終了したことを知ることができる。
【００２０】
ここで、本発明のセキュリティシステムは集中監視装置の側で各モードの切り替えを行うので、居住者はセキュリティシステムに加入している意識が薄れてしまうことがある。しかし、異常がない場合でも毎回送信されてくる電子メールによって、居住者はセキュリティシステムに加入していることを意識することができる。
【発明の効果】
【００２１】
本発明のセキュリティシステムでは、当該セキュリティシステムの動作（在宅モードおよび外出モードの切り替え）を、ガス不使用監視装置の検出結果に連動させている。すなわち、ガス不使用監視装置の検出結果から求まるガス不使用時間帯から、居住者が外出していると推定される時間帯を割り出すことができる。この時間帯を監視時間帯として、すなわちその間、外出モードとなり、集中監視装置は、ガス使用施設に設置されたセンサ群の出力に基づき、ガス使用施設および居住者の異常を監視する。したがって、セキュリティシステムの側でモード切り替えを行うので、従来のように居住者がセキュリティシステムのモード切り替えを行う必要がない。
【００２２】
また、本発明のセキュリティシステムは、時間毎のガス使用の有無に基づき、監視時間帯を更新する、いわゆる自己学習機能を備えている。したがって、居住者のライフパターンが日毎（曜日毎）、季節毎に変わっても、それに追従して監視時間帯を変更することができる。
【発明を実施するための最良の形態】
【００２３】
以下に、図面を参照して、本発明を適用したセキュリティシステムの一例を説明する。
【００２４】
［実施の形態１］
図１は本発明の実施の形態１に係るセキュリティシステムの概略構成図であり、図２はそのシステムの概略ブロック図である。これらの図に示すように、本例のセキュリティシステム１は、集中監視センタ２に設置された集中監視装置３と、ガス使用施設である一般住宅４に設置された住宅側装置５と、これらの間を接続可能な通信回線、例えば、電話回線などの一般通信回線６と、警察、消防あるいはガス会社などに設置されている通信端末７ａと、居住者が所有している通信端末７ｂとから構成されている。居住者が所有している通信端末７ｂとしては、インターネット・メール・サービスを利用可能な通信端末、例えばＮＴＴドコモの文字情報サービス「ｉモード」（登録商標）を利用可能な携帯電話を用いることができる。
【００２５】
集中監視センタ２の集中監視装置３は、例えばインターネットサーバとして機能するシステムであり、インターネット上に各一般住宅４におけるガス使用状況の履歴等の各種情報の閲覧サイトを管理運営している。居住者などのように予めアクセス権が付与されているものは当該閲覧サイトにアクセス可能となっている。
【００２６】
一般住宅４の住宅側装置５は、当該一般住宅４におけるガス使用流量を計測するガスメータ１１と、ガス不使用監視装置１２と、一般住宅４の異常および居住者の異常を検知するセンサ群１３と、一般通信回線６を介して集中監視装置３との間で通信を行うための伝送装置１４とを備えている。
【００２７】
ガスメータ１１によるガスの検針データは、ガス不使用監視装置１２を介して伝送装置１４に供給される。伝送装置１４は、定期的に、あるいは集中監視装置３からの要求がある場合に、検針データを通信回線６を経由して集中監視装置３に送信する。ガスメータ１１の基本構成は一般に使用されているものと同様であり、ガス管（図示せず）を流れるガス流量の計量を行う計量部（図示せず）が内蔵されているメータ本体２１と、このメータ本体２１に取り付けられている電子カウンタなどが内蔵されている制御ユニット２２とを備えている。メータ本体２１からは、一般に、ガス流量を表す単位流量パルス信号が制御ユニット２２に供給される。制御ユニット２２は、メータ本体２１から得られる信号に基づき各種のガス使用流量の積算値の算出や表示を行う。
【００２８】
ガス不使用監視装置１２は、ガスメータ１１から取得されるガス検針データに基づきガス使用状況を表すガス使用状況データを作成する。このガス使用状況データは、定期的に、あるいは集中監視装置３からの要求時に、伝送装置１４から通信回線６を経由して、集中監視装置３に送信される。また、常に、実際のガス使用状況を監視しており、実際のガス使用状況がガス使用状況データと異なる場合、例えば、常にガス使用されている時間帯においてガスが使用されなかった場合、および、ガスの不使用状態が、予め定めた時間以上に亘って継続した場合に、居住者に異常が発生したものと判断して、安否確認警報を発生する。発生した安否確認警報は伝送装置１４から通信回線６を介して集中監視装置３に送られる。
【００２９】
センサ群１３は、大別して２タイプに分けることができ、すなわち、常に警戒モードの状態になければならないガス漏れ警報器２４、熱感知センサ２５などのような第１センサ群１５と、居住者の外出時のみだけ警戒モード（外出モード）の状態にあればよい人感センサ２６、ドアセンサ２７などのような第２センサ群１６とに分けることができる。
【００３０】
第１センサ群１５において、ガス漏れ警報器２４はガス漏れを検出するとガス漏れ警報を発生し、熱感知センサ２５は火災を検出すると火災警報を発生する。また、第２センサ群１６において、人感センサ２６は人が居ることを検出すると人感警報を発生し、ドアセンサ２７はドア、窓などが開けられたことを検出すると侵入警報を発生する。これら警報は伝送装置１４から通信回線６を介して集中監視装置３に送られる。
【００３１】
本例では、伝送装置１４が、第２センサ群１６のモード切り替えを自動で行っている。詳細に説明すると、伝送装置１４はマイクロコンピュータを中心に構成されており、そのＲＯＭ内に格納されている制御プログラムを実行することにより図２においてブロックで示す機能を実現するように構成されている。
【００３２】
伝送装置１４は、第２センサ群１６からの出力の有効および無効の設定を切り替える設定切替部３１を備え、この設定切替部３１は、居住者が外出していると推定される時間帯において、第２センサ群１６からの出力があった場合に、当該出力を有効とする一方、それ以外の時間帯において、第２センサ群１６からの出力があった場合に、当該出力を無効とするように設定を切り替える。居住者が外出していると推定される時間帯、すなわち監視時間帯は、ガス不使用監視装置１２の検出結果（ガス使用状況データ）から求めることができ、例えば、一日のガス不使用時間帯のうち、居住者が仕事等で外出していると推定される日中の時間帯とすることができる。
【００３３】
また、都度変更されるライフパターンに対応するために、本例では、予め定めた期間毎に、監視時間帯の更新を行う。伝送装置１４は、ガス不使用監視装置１２のガス使用状況データを所定期間に亘り記憶する記憶部３２と、この記憶部３２の記憶内容に基づき、予め定められた期間毎に、監視時間帯を更新する更新部３３とを備え、この更新部３３によって更新された監視時間帯に基づいて、設定切替部３１は設定を切り替える。
【００３４】
図３は、設定切替部３１の監視時間帯の設定動作例を示す説明図である。この図に示すように、記憶部３２には、ガス不使用監視装置１２から供給されるガス使用状況データを基に作成した、例えば、一日の各時間帯におけるガス使用の有無に関する３週間分のマトリックスデータＤ１、Ｄ２、Ｄ３が蓄積されている。更新部３３では、３週間分のマトリックスデータＤ１〜Ｄ３を重ね合わせ、例えば、日中連続して５時間以上ガスが使用されていない時間帯を監視時間帯とする。
【００３５】
図示の例では、合成されたマトリックスデータＤａにおいて、矢印で示す間の時間帯が監視時間帯であり、日曜日は１３時から１７時の間、月曜日は９時から１６時の間、火曜日から金曜日は９時から１５時の間、土曜日は９時から１６時の間がそれぞれ監視時間帯となり、設定切替部３１はそれに基づいて設定を切り替える。このように、更新部３３は、１週間毎に３週間分の最新データＤ１〜Ｄ３を合成して、最初に設定された監視時間帯を順次に更新していく。したがって、監視時間帯が、居住者のライフパターンに追従するように、変更されていく。
【００３６】
また、本例では、居住者の突然の帰宅、外出などに対応するために、操作部３５から、設定切替部３１の設定の切り替えを手動により行うことができるようになっている。
【００３７】
集中監視装置３は、センサ群１３からの出力に基づき一般住宅４および居住者に異常が発生したか否かを常に監視しており、センサ群１３から出力があった場合には、その旨をインターネット・メール・サービスを利用して、利用者（居住者）の通信端末７ｂに電子メールで通知する。この電子メールには、センサ群１３のうちのいずれのセンサから出力があったのかの情報が含まれている。
【００３８】
利用者は、電子メールを受信すると、その画面上において表示されている異常警報の内容を確認し、警報発生元の一般住宅４に出向き、必要があれば、警察、消防、ガス会社等に通報する。また、集中監視センタ２の側が、センサ群１３などから出力があった時点で、各センサに応じて、直接に警察、消防、ガス会社等に通報するようにしてもよい。
【００３９】
一方、監視時間帯にセンサ群１３から出力がなかった場合には、集中監視装置３は、監視時間帯において異常がなかったことを利用者に電子メールで通知する。利用者は、この電子メールにより、異常がなかったことと、監視が終了したことを知ることができる。
【００４０】
以上説明したように、本例のセキュリティシステム１では、当該セキュリティシステム１の動作（在宅モードおよび外出モードの切り替え）を、ガス不使用監視装置１２の検出結果に連動させている。すなわち、ガス不使用監視装置１２の検出結果から求まるガス不使用時間帯から、居住者が外出していると推定される時間帯を割り出すことができる。この時間帯を監視時間帯として、すなわちその間、外出モードとなり、集中監視装置３は、一般住宅４に設置されたセンサ群１３の出力に基づき、一般住宅４および居住者の異常を監視する。したがって、セキュリティシステムの側でモード切り替えを行うので、従来のように居住者がセキュリティシステムのモード切り替えを行う必要がない。
【００４１】
ここで、セキュリティシステムの側でモード切り替えを行うことによって、居住者はセキュリティシステムに加入している意識が薄れていってしまう。しかしながら、本例では、異常がない場合でも、集中監視装置３は電子メールを毎回送信するので、この電子メールによって、居住者はセキュリティシステムに加入していることを意識することができる。
【００４２】
また、本例のセキュリティシステム１は、時間毎のガス使用の有無に基づき、監視時間帯を更新する、いわゆる自己学習機能を備えている。したがって、居住者のライフパターンが日毎（曜日毎）、季節毎に変わっても、それに追従して監視時間帯を変更することができる。
【００４３】
［実施の形態２］
図４は本発明の実施の形態２に係るセキュリティシステムを示す概略ブロック図である。なお、本例および後述する実施の形態３のセキュリティシステムは、基本的な構成が上記形態と共通しているので、対応する機能を有する部分には同一の符号を付してそれらの説明を省略する。
【００４４】
本例のセキュリティシステム１Ａも、集中監視センタ２に設置された集中監視装置３Ａと、ガス使用施設である一般住宅４に設置された住宅側装置５と、これらの間を接続可能な電話回線などの一般通信回線６と、居住者などが所有している通信端末７から構成されている。しかるに、住宅側装置５において、伝送装置１４Ａの設定切替部３１の設定の切り替えを、集中監視装置３Ａが遠隔操作して行う点が相違している。
【００４５】
集中監視装置３Ａは、伝送装置１４Ａを介して送信されてくるガス不使用監視装置１２の検出結果を所定期間に亘り記憶する記憶部３６と、この記憶部３６の記憶内容に基づき、予め定められた期間毎に、監視時間帯を更新する更新部３７と、伝送装置１４Ａの設定切替部３１の設定の切り替え操作を行う遠隔操作部３８とを備えている。遠隔操作部３８は、更新部３７によって更新された監視時間帯に基づいて、伝送装置１４Ａの設定切替部３１の設定の切り替え操作を行う。
【００４６】
また、本例でも、居住者の突然の帰宅、外出などに対応するために、操作部３５から、設定切替部３１の設定の切り替えを手動により行うことができるようになっている。
【００４７】
集中監視装置３Ａは、センサ群１３からの出力に基づき一般住宅４および居住者に異常が発生したか否かを常に監視しており、センサ群１３から出力があった場合には、その旨をインターネット・メール・サービスを利用して、利用者（居住者）の通信端末７に電子メールで通知する。利用者は、電子メールを受信すると、その画面上において表示されている異常警報の内容を確認し、警報発生元の一般住宅４に出向き、必要があれば、警察、消防、ガス会社等に通報する。
【００４８】
一方、監視時間帯にセンサ群１３から出力がなかった場合には、集中監視装置３Ａは、監視時間帯において異常がなかったことを利用者に電子メールで通知するとともに、遠隔操作により伝送装置１４Ａの設定切替部３１の設定を切り替える。
【００４９】
［実施の形態３］
図５は本発明の実施の形態３に係るセキュリティシステムを示す概略ブロック図である。この図に示すように、本例のセキュリティシステム１Ｂでは、集中監視装置３の側に、第２センサ群１６からの出力の有効および無効の設定を切り替える設定切替部３４が構成されている。すなわち、第２センサ群１６からの出力は、伝送装置１４Ｂから通信回線６を介して集中監視装置３Ｂに全て送信されることになるが、集中監視装置３Ｂでは、設定切替部３４の監視時間帯の設定に基づき、その出力が、監視時間帯中であれば出力を有効とする一方、それ以外の時間帯中であれば出力を無効とする。
【００５０】
また、都度変更されるライフパターンに対応するために、集中監視装置３Ｂは、伝送装置１４Ｂを介して送信されてくるガス不使用監視装置１２の検出結果を所定期間に亘り記憶する記憶部３６Ｂと、この記憶部３６Ｂの記憶内容に基づき、予め定められた期間毎に、監視時間帯を更新する更新部３７Ｂとを備えている。この更新部３７Ｂによって更新された監視時間帯に基づいて、設定切替部３４は設定を切り替える。
【００５１】
さらに、本例では、居住者の突然の帰宅、外出などに対応するために、集中監視装置側設定切替部３４の設定の切り替えを、伝送装置１４Ｂを介して、操作部３５Ｂから手動により行うことができるようになっている。
【００５２】
集中監視装置３Ｂは、センサ群１３からの出力に基づき一般住宅４および居住者に異常が発生したか否かを常に監視しており、センサ群１３から出力があった場合には、その旨をインターネット・メール・サービスを利用して、利用者（居住者）の通信端末７ｂに電子メールで通知する。利用者は、電子メールを受信すると、その画面上において表示されている異常警報の内容を確認し、警報発生元の一般住宅４に出向き、必要があれば、警察、消防、ガス会社等に通報する。
【００５３】
一方、監視時間帯にセンサ群１３から出力がなかった場合には、集中監視装置３Ｂは、監視時間帯において異常がなかったことを利用者に電子メールで通知するとともに、設定切替部３４の設定を切り替る。
【図面の簡単な説明】
【００５４】
【図１】本発明の実施の形態１に係るセキュリティシステムの概略構成図である。
【図２】図１に示すシステムの概略ブロック図である。
【図３】外出モードの適用時間帯の設定動作を示す説明図である。
【図４】本発明の実施の形態２に係るセキュリティシステムを示す概略ブロック図である。
【図５】本発明の実施の形態３に係るセキュリティシステムを示す概略ブロック図である。
【符号の説明】
【００５５】
１、１Ａ、１Ｂ  セキュリティシステム
２  集中監視センタ
３、３Ａ、３Ｂ  集中監視装置
４  一般住宅（ガス使用施設）
５  住宅側装置
６  通信回線
７ａ、７ｂ  通信端末
１１  ガスメータ
１２  ガス不使用監視装置
１３  センサ群
１４、１４Ａ、１４Ｂ  伝送装置
１５  第１センサ群
１６  第２センサ群
２４  ガス漏れ警報機
２５  熱感知センサ
２６  人感センサ
２７  ドアセンサ
３１  伝送装置側設定切替部
３４  集中監視装置側設定切替部
３２、３６、３６Ｂ  記憶部
３３、３７、３７Ｂ  更新部
３８  遠隔操作部
３５、３５Ｂ  操作部
【図２】
2006243990.tif 000003
【図４】
2006243990.tif 000004
【図５】
2006243990.tif 000005
【図１】
2006243990.tif 000006
【図３】
2006243990.tif 000007